(57)【要約】  【課題】  基板上の限られたスペースに配置された放熱板に追加で増設用放熱板を手軽に増設して発熱部品の発熱を抑えることができ、既に設計された放熱板や基板の設計をやり直す手間が省ける発熱部品への放熱板増設構造を提供する。【解決手段】  基板１に実装されたトランジスタ２等の発熱部品に取り付けられた放熱板３にねじ穴３ｃが形成されると共に増設用放熱板４にねじ穴４ｂが形成されており、放熱板３に取り付けられるスライド板５に縦溝５ａが形成され、スライド板５の縦溝５ａに固定ねじ６を挿入して発熱部品に取り付けられた放熱板３のねじ穴３ｃに螺入してスライド板５を放熱板３に取り付け固定すると共にスライド板５の縦溝５ａから複数の増設用放熱板４のねじ穴３ｃに固定ねじ６を螺入してスライド板５に複数の増設用放熱板４を取り付け固定するように構成した。【選択図】  図１
2009081330.tif 000002
【特許請求の範囲】
【請求項１】
基板に実装されたトランジスタ等の発熱部品に放熱板が取り付けられ、この放熱板に増設用放熱板を取り付け固定するようにした発熱部品への放熱板増設構造であって、前記発熱部品に取り付けられた放熱板にねじ穴が形成されると共に前記増設用放熱板にねじ穴が形成されており、前記放熱板に取り付けられるスライド板に縦溝が形成され、このスライド板の縦溝に固定ねじを挿入して前記発熱部品に取り付けられた放熱板のねじ穴に螺入して前記スライド板を前記放熱板に取り付け固定すると共に、このスライド板の縦溝から前記複数の増設用放熱板のねじ穴に固定ねじを螺入して前記スライド板に前記複数の増設用放熱板を取り付け固定するように構成したことを特徴とする発熱部品への放熱板増設構造。
【請求項２】
前記放熱板は、平面視略Ｌ字形に形成されており、この放熱板の正面板に前記発熱部品が取り付けられると共に側面板に前記スライド板が取り付けられ、この側面板の内側の上下に前記増設用放熱板が配置されて前記スライド板に取り付け固定されている請求項１に記載の発熱部品への放熱板増設構造。
【請求項３】
前記増設用放熱板には、ねじ穴が上下左右中央に５箇所設けられており、高さに制限がある場合に増設用放熱板を横にずらして対応するねじ穴に固定ねじを螺入して取り付け固定することを可能にした請求項１又は２に記載の発熱部品への放熱板増設構造。
【請求項４】
前記増設用放熱板は、下側が開放された筐体状に形成されていると共に、上面に通気用の隙間が形成されている請求項１乃至３のいずれかに記載の発熱部品への放熱板増設構造。
【請求項５】
前記スライド板に固定ねじで複数取り付け固定された前記増設用放熱板の上下間には隙間が設けられている請求項１乃至４のいずれかに記載の発熱部品への放熱板増設構造。
【発明の詳細な説明】
【技術分野】
【０００１】
本発明は、基板に実装されたトランジスタ等の発熱部品に放熱板が取り付けられ、この放熱板に増設用放熱板を取り付け固定するようにした発熱部品への放熱板増設構造に関するものである。
【背景技術】
【０００２】
従来では、既に設計した基板に実装されたトランジスタ等の発熱部品に放熱板を取り付けて配置していることにより、部品発熱問題が生じた場合、基板の設計をやり直す必要があって手間がかかるという問題があった。更に、放熱板を配置する基板上のスペースに限界がある場合には自由度が少ないという問題があった。
【０００３】
第１の従来技術を図４に示す。この従来の放熱板の取付構造は、図４に示すように、ねじ１１６を螺着することで、部品取付部１１２と羽根部１１３とを電子部品１０２と共に取付け固定する際に、部品取付け部１１２に対する羽根部１１３の相対的な回転が第１放熱部１２２により規制される。したがって、羽根部１１３に特別な機構を設けなくても、プリント基板１に接続する羽根部１１３に部品取付部１１２の背面側にある羽根部１１３がねじ１１６と共に回転しない放熱板１１１の取付構造を得ることができる。（例えば、特許文献１参照）。
ところが、これにおいては、図４に示すように、放熱板１１１の羽根部１１３が２個に限定されるものであり、それ以上複数枚の羽根部１１３を取り付けることができないという問題があった。
【０００４】
第２の従来技術を図５に示す。この従来のトランジスタ組立取付用放熱板は、図５に示すように、放熱板２０２と放熱板２０３を用意して、放熱板２０３にトランジスタ２０１または２０５を取り付ける切り抜き部ａ、ｂを設ける。切り抜き部ａにはトランジスタ２０１を孔２０４を通してねじ２０６により放熱板２０３を介して放熱板２０２に固定する。つまり、放熱板２０２、２０３、トランジスタ２０１を共締め固定する。これを放熱板の両端面で行う。トランジスタ２０５は切り抜き部ｂを介して放熱板２０２、２０３間に挟み込んで固定される。切り抜き部bを多くすることによって、ねじ、ナット等を大幅に削減し、取り付け工数も減少する。（例えば、特許文献２参照）。
ところが、これにおいては、放熱板２０２、２０３が２枚に限定されており、他の複数の放熱板を増設するものではなかった。
【０００５】
【特許文献１】特開２００２−２９００８５号公報
【特許文献２】特開平１１−１２１６６５号公報
【発明の開示】
【発明が解決しようとする課題】
【０００６】
本発明は、上記従来の問題に鑑みてなされたものであって、基板上の限られたスペースに配置された放熱板に追加で増設用放熱板を手軽に増設して発熱部品の発熱を抑えることができ、既に設計された放熱板や基板の設計をやり直す手間が省ける発熱部品への放熱板増設構造を提供することを目的としている。
【課題を解決するための手段】
【０００７】
本発明は、上記課題を解決するために提案されたものであって、請求項１に記載の発明は、基板に実装されたトランジスタ等の発熱部品に放熱板が取り付けられ、この放熱板に増設用放熱板を取り付け固定するようにした発熱部品への放熱板増設構造であって、前記発熱部品に取り付けられた放熱板にねじ穴が形成されると共に前記増設用放熱板にねじ穴が形成されており、前記放熱板に取り付けられるスライド板に縦溝が形成され、このスライド板の縦溝に固定ねじを挿入して前記発熱部品に取り付けられた放熱板のねじ穴に螺入して前記スライド板を前記放熱板に取り付け固定すると共に、このスライド板の縦溝から前記複数の増設用放熱板のねじ穴に固定ねじを螺入して前記スライド板に前記複数の増設用放熱板を取り付け固定するように構成したことを特徴としている。
【０００８】
請求項２に記載の発明は、請求項１に記載の発明において、前記放熱板は、平面視略Ｌ字形に形成されており、この放熱板の正面板に前記発熱部品が取り付けられると共に側面板に前記スライド板が取り付けられ、この側面板の内側の上下に前記増設用放熱板が配置されて前記スライド板に取り付け固定されている。
【０００９】
請求項３に記載の発明は、請求項１又は２に記載の発明において、前記増設用放熱板には、ねじ穴が上下左右中央に５箇所設けられており、高さに制限がある場合に増設用放熱板を横にずらして対応するねじ穴に固定ねじを螺入して取り付け固定することを可能にした。
【００１０】
請求項４に記載の発明は、請求項１乃至３のいずれかに記載の発明において、前記増設用放熱板は、下側が開放された筐体状に形成されていると共に、上面に通気用の隙間が形成されている。
【００１１】
請求項５に記載の発明は、請求項１乃至４のいずれかに記載の発明において、前記スライド板に固定ねじで複数取り付け固定された前記増設用放熱板の上下間には隙間が設けられている。
【発明の効果】
【００１２】
請求項１に記載の発明によれば、放熱板に固定ねじで取り付け固定したスライド板に複数の増設用放熱板を固定ねじで取り付け固定することができ、更にスライド板をスライドさせることにより、より以上多い増設用放熱板を固定ねじで取り付け固定することができる。従って、基板上の限られたスペースに配置された放熱板に追加で複数の増設用放熱板を増設して発熱部品の発熱を抑えることができ、既に設計された放熱板や基板の設計をやり直す手間を省くことができる。
【００１３】
請求項２に記載の発明によれば、放熱板が平面視略Ｌ字形に形成されているから、この放熱板の正面板に発熱部品を取り付けることができ、側面板にスライド板を取り付けることができて、このスライド板に固定ねじで複数の増設用放熱板を簡単に取り付け固定することができる。また、放熱板の側面板の内側の上下に増設用放熱板を取り付け固定するから、放熱板の側面板に増設用放熱板を接することができることにより、発熱部品の放熱効果を高めることができる。
【００１４】
請求項３に記載の発明によれば、増設用放熱板にねじ穴が上下左右中央に５箇所設けられているから、高さに制限がある場合に増設用放熱板を横にずらして対応するねじ穴に固定ねじを螺入して取り付け固定できることにより、高さに制限がある場合でも増設用放熱板の放熱面積を広くすることができて発熱部品の放熱効果を高めることができる。
【００１５】
請求項４に記載の発明によれば、増設用放熱板の下側が開放され、上面に通気用の隙間が形成されているから、筐体状に形成された増設用放熱板の通気性をよくすることができ、増設用放熱板から発せられた熱を開放された部分と隙間から外部に逃がすことができて一層放熱効果を高めることができる。
【００１６】
請求項５に記載の発明によれば、スライド板に固定ねじで複数取り付け固定された増設用放熱板の上下間に隙間が設けられているから、増設用放熱板の上下間の通気性をよくすることができ、増設用放熱板から発せられた熱をこれらの隙間から外部に逃がすことができて放熱効果をより一層高めることができる。
【発明を実施するための最良の形態】
【００１７】
以下、本発明に係る発熱部品への放熱板増設構造の実施の形態について、図を参照しつつ説明する。尚、下記する実施形態では、発熱部品としてトランジスタについて説明するが、発熱部品としてはこれに限らず、ＦＥＴ等の他の発熱部品にも適用できるものである。
図１は本発明の実施形態の発熱部品への放熱板増設構造を示し、（ａ）はその分解斜視図、（ｂ）はその組み付け後の側面図、図２は増設用放熱板を横にずらして取り付けた状態の側面図、図３は増設用放熱板を４個に増やして取り付けた状態を示す側面図である。
【００１８】
本実施形態の発熱部品の放熱板増設構造は、図１（ａ）（ｂ）に示すように、基板１に発熱部品としてのトランジスタ２が実装され、このトランジスタ２に平面視略Ｌ字形の放熱板３の正面板３ａがねじ止めして取り付け固定されている。この放熱板３の側面板３ｂには、上下位置における上下左右中央にねじ穴３ｃが５個形成されている。この放熱板３に増設される複数の増設用放熱板４は下側が開放した筐体状に形成され、上面に通気用の隙間４ａが形成されている。放熱板３の側面板３ｂには、上下にスライド可能なスライド板５が取り付けられるようになっており、このスライド板５には縦溝５ａが形成されている。放熱板３の内側には、２個の増設用放熱板４が上下に隙間Ｓをもって配置されるようになっており、これらの増設用放熱板４にも上下左右中央にねじ穴４ｂが形成されている。放熱板３の側面板３ｂの外面にスライド板５が配置され、このスライド板５の縦溝５ａから固定ねじ６が挿入され、固定ねじ６のねじ部分が放熱板３の側面板３ｂの上下位置の中央のねじ穴３ｃと上下２個の増設用放熱板４の中央のねじ穴４ｂに固定ねじ６が螺入されて、この放熱板３に２個の増設用放熱板４が取り付け固定されている。更に、スライド板５の縦溝５ａの上端側にも固定ねじ６が挿入され、この固定ねじ６が別の３個目の増設用放熱板４の中央のねじ穴４ｂに螺入されて、この増設用放熱板４がスライド板５に取り付け固定されている。この図１（ａ）（ｂ）では、増設用放熱板４が縦向きに３個取り付けられている。
【００１９】
更に、図２に示すように、放熱板３の上側の高さに制限がある場合に、各増設用放熱板４を横にずらして、各増設用放熱板４の右端のねじ穴４ｂに固定ねじ６が螺入して放熱板３とスライド板５に取り付け固定することも可能である。また、図３に示すように、スライド板５を上側にずらして、下側の増設用放熱板４を放熱板３に固定ねじ６で直接取り付け固定し、その上側に３個の増設用放熱板４を配置して固定ねじ６でスライド板５に取り付け固定することも可能であって、この場合には、上下に４個の増設用放熱板４が取り付け固定されることとなる。しかも、スライド板５を上下に長く形成して、縦溝５ａも上下に長く形成することにより、増設用放熱板４を５個以上取り付け固定することも可能である。
【００２０】
従って、本実施形態によれば、放熱板３に固定ねじ６で取り付け固定したスライド板５に複数の増設用放熱板４を固定ねじ６で取り付け固定することができ、更にスライド板５をスライドさせることにより、より以上多い増設用放熱板４を固定ねじ６で取り付け固定することができる。従って、基板１上の限られたスペースに配置された放熱板３に追加で複数の増設用放熱板４を増設してトランジスタ２の発熱を抑えることができ、既に設計された放熱板３や基板１の設計をやり直す手間を省くことができる。更に、放熱板３が平面視略Ｌ字形に形成されているから、この放熱板３の正面板３ａにトランジスタ２を取り付けることができ、側面板３ｂにスライド板５を取り付けることができて、このスライド板５に固定ねじ６で複数の増設用放熱板４を簡単に取り付け固定することができる。また、放熱板３の側面板３ｂの内側の上下に増設用放熱板４を取り付け固定するから、放熱板３の側面板３ｂに増設用放熱板４を接することができることにより、トランジスタ２の放熱効果を高めることができる。
【００２１】
更に、増設用放熱板４にねじ穴４ｂが上下左右中央に５箇所設けられているから、高さに制限がある場合に増設用放熱板４を横にずらして対応するねじ穴４ｂに固定ねじ６を螺入して取り付け固定できることにより、高さに制限がある場合でも増設用放熱板４の放熱面積を広くすることができてトランジスタ２の放熱効果を高めることができる。また、増設用放熱板４の下側が開放され、上面に通気用の隙間４ａが形成されているから、筐体状に形成された増設用放熱板４の通気性をよくすることができ、増設用放熱板４から発せられた熱を開放された部分と隙間４ｂから外部に逃がすことができて一層放熱効果を高めることができる。しかも、請求項５に記載の発明によれば、スライド板５に固定ねじ６で複数取り付け固定された増設用放熱板４の上下間に隙間Ｓが設けられているから、増設用放熱板４の上下間の通気性をよくすることができ、増設用放熱板４から発せられた熱をこれらの隙間Ｓから外部に逃がすことができて放熱効果をより一層高めることができる。
【図面の簡単な説明】
【００２２】
【図１】本発明の実施形態の発熱部品への放熱板増設構造を示し、（ａ）はその分解斜視図、（ｂ）はその組み付け後の側面図である。
【図２】増設用放熱板を横にずらして取り付けた状態の側面図である。
【図３】増設用放熱板を４個に増やして取り付けた状態を示す側面図である。
【図４】従来の放熱板の取付構造を示す分解斜視図である。
【図５】従来のトランジスタ組立取付用放熱板の１実施の形態を示す斜視図である。
【符号の説明】
【００２３】
Ｓ          隙間
１          基板
２          トランジスタ
３          放熱板
３ａ        正面板
３ｂ        側面板
３ｃ        ねじ穴
４          増設用放熱板
４ａ        隙間
４ｂ        ねじ穴
５          スライド板
５ａ        縦溝
６          固定ねじ
【図１】
2009081330.tif 000003
【図２】
2009081330.tif 000004
【図３】
2009081330.tif 000005
【図４】
2009081330.tif 000006
【図５】
2009081330.tif 000007